(57)【要約】      （修正有）【課題】ポストカ−ドや写真等と簡易スタンドとを一体化するとともに，郵便機能も併せ持った，簡単に，安全に，経済的に使用できる，内蔵式の開脚可能な支脚部を有したポストカ−ド方式の簡易スタンドを提供する。【解決手段】はがき３枚分の大きさの長方形の紙を用意し，３等分する。３面のうち，表側の２つの面には，写真等を表示する面１と文章を書く面を，裏側の２つの面には，宛名を書く面と使用説明を記した面を，さらに，残る１面は開脚可能な支脚部２として使用する。郵便物とする場合は，糊付け部分をはがして，裏面を表にして，支脚部の面を，内側に挟み込み，下部を弱性の糊等で接合させることにより，１枚の平坦なポストカ−ドとなる。【選択図】図３
0003117628.tif 000002
【実用新案登録請求の範囲】
【請求項１】
はがきと同等の大きさの紙を３枚分使用して作る開脚可能な支脚部を設けたポストカ−ド式の簡易スタンドであり，
（１）３等分した紙の表面のうち，３分の１の面は写真等を印刷または貼付する場所とし，連続した３分の１の面は文章等を書くための場所とし，残る３分の１の面は内蔵式の開脚可能な支脚部とする。
（２）３等分した紙の裏面のうち，３分の１の面は宛先等を記入する場所とし，連続した３分の１の面は当該スタンドの使用説明文を明記する場所とし，残る３分の１の面は内蔵式の開脚可能な支脚部とする。
以上の構成からなる内蔵式の開脚可能な支脚部を有したポストカ−ド式の簡易スタンド。
【請求項２】
請求項１記載のはがきの３倍大の長方形の紙において，
（１）３等分した紙の表面を３つ折りにし，開脚可能な支脚部の面を内側に挟み込み，写真等を表示する面と文章等を書く面とを２つ折りにし，弱性の糊等により接合させることで，はがき大の平坦な１枚の紙となる。
（２）３等分した紙の表の面のうち，開脚可能な支脚部の面については，２分割して二つ折りの折り目を付け，上半分は糊代部分とするため両面テ−プを付けておき，下半分は開脚可能な支脚部するため，さらに２分割して二つ折りの折り目を付けておく。
（３）（１）の紙を，展示可能な簡易スタンドとして使用する場合は，糊付けしてある下部をはがし，（２）の支脚部分の面を二つ折りにするとともに，糊代部分の両面テ−プをはがし，写真等を表示する面の裏側の下部に貼りつける。
また，残る支脚部の面は，内側に二つ折りにして，逆Ｖ字型の支脚を形成する。
（４）（１）の紙を，郵便物として使用する場合は，糊付けしてある下部をはがし，３等分した紙の裏面を表にして，開脚可能な支脚部の面を内側に挟みこみ，宛先等を記入する面と当該スタンドの使用説明文を明記する面とを２つ折りにし，弱性の糊等により接合させることにより，はがき大の平坦な１枚のポストカ−ドとなる。
以上の構成からなる，１枚の紙で，スタンドの機能と郵便物の機能とを併せ持った，内蔵式の開脚可能な支脚部を有したポストカ−ド式の簡易スタンド。
【考案の詳細な説明】
【技術分野】
【０００１】  この考案は，ポストカ−ドや写真等を，立てて展示したり，郵便物として郵送することのできる，紙製の，内蔵式の開脚可能な支脚部を有したポストカ−ド方式の簡易スタンドに関するものである。
【背景技術】
【０００２】  従来，ポストカ−ドや写真等を，立てて展示する場合，別にスタンドが必要だった。
また，ポストカ−ドを郵便物として使用する場合，文書欄がむき出しになって他人に盗み見られる心配があった。
【考案が解決しょうとする課題】
【０００３】  これらは，次のような問題点があった。
ポストカ−ドや写真等を，立てて展示する場合，別にスタンドが必要だった。
しかし，写真等を立てるだけなのに，値段は高く，また使い勝手も悪いものが多かった。
また，ポストカ−ドを郵便物として使用する場合，文書欄がむき出しになっており，他人に盗み見られる心配があった。
本考案は，以上のような欠点をなくし，１枚の紙でスタンドの機能と郵便物の機能とを併せもった，簡単に，安全に，経済的に使用できるように考えたものである。
【課題を解決するための手段】
【０００４】  （１）はがき３枚分の大きさの長方形の紙を用意し，３等分する。
（２）３等分した紙の表面のうち，３分の１の面は写真等を印刷または貼付する場所とし，連続した３分の１の面は文章等を書くための場所とし，残る３分の１の面は内蔵式の開脚可能な支脚部とする。
（３）３等分した紙の裏面のうち，３分の１は宛先等を記入する場所とし，連続した３分の１は当該スタンドの使用説明文を明記する場所とし，残る３分の１は内蔵式の開脚可能な支脚部とする。
（４）（１）の３等分した紙の表面を３つ折りにし，開脚可能な支脚部の面を内側に挟み込み，写真等を表示する面と文章等を書く面とを２つ折りにし，弱性の糊等により接合させることにより，はがき大の平坦な１枚の紙となる。
（５）（２）の３等分した紙の表の面のうち，開脚可能な支脚部の面については，２分割して二つ折りの折り目を付け，上半分は糊代部分とするため両面テ−プを付けておき，下半分は開脚可能な支脚部とするため，さらに２分割して二つ折りの折り目を付けておく。
（６）（４）の紙を，展示可能な簡易スタンドとして使用する場合は，糊付けしてある下部をはがし，支脚部分の面を二つ折りにするとともに，糊代部分の両面テ−プをはがし，写真等を表示する面の裏側の下部に貼り付ける。
また，残る支脚部の面は，内側に二つ折りにし，逆Ｖ字型の支脚を形成する。
（７）（４）の紙を，郵便物として使用する場合は，糊付けしてある下部をはがし，３等分した紙の裏面を表にして，開脚可能な支脚部の面を内側に挟みこみ，宛先等を記入する面と当該スタンドの使用説明文を明記する面とを２つ折りにし，弱性の糊等により接合させることにより，はがき大の平坦な１枚のポストカ−ドとなる。
【考案を実施するための最良の形態】
【０００５】  以下，本考案を実施するための最良の形態について説明する。
（１）通常の場合，写真等の付いた１枚の平坦な紙となる。
このため，３等分した紙の表面を３つ折りにし，開脚可能な支脚部の面を内側に挟み込み，写真等を表示する面と文章等を書く面とを２つ折りにし，弱性の糊等により接合させる。
（２）（１）を，展示可能な簡易スタンドとして使用する場合は，糊付けしてある下部をはがし，支脚部分の面を二つ折りにするとともに，糊代部分の両面テ−プをはがし，写真等を表示する面の裏側の下部に貼りつける。
また，残る支脚部の面は，内側に二つ折りにして，逆Ｖ字型の支脚部を形成し，開脚した状態で使用する。
写真等のスタンドをしまう場合は，支脚部を閉じる。
（３）（１）を，郵便物として使用する場合は，糊付けしてある下部をはがし，３等分した紙の裏面を表にして，開脚可能な支脚部の面を内側に挟みこみ，宛先等を記入する面と当該スタンドの使用説明文を明記する面とを２つ折りにし，弱性の糊等により接合させることにより，はがき大の平坦な１枚のポストカ−ドとなる。
【考案の効果】
【０００６】  デジカメ，プリンタ−の普及等により，写真の愛好者が増えている。
写真は，撮る楽しみ，見る楽しみ，飾る楽しみ，人にあげる楽しみがあり，そのための器材は整っているが，簡単に，安全に，経済的に使用できるスタンドは見当たらない。
また，ポストカ−ド，絵手紙，絵葉書等も，人気があるものの，簡単に，安全に，経済的に使用できるスタンドは見当たらない。
本考案の内蔵式の開脚可能な支脚部を有したポストカ−ド方式の簡易スタンドは，写真等と簡易スタンドとを一体化するとともに，郵便機能も併せ持ち，簡単に，安全に，経済的に使用できるようにしたものである。
さらに，この開脚可能な支脚部を有したポストカ−ドの応用例としては，予め，写真等や文書を印刷しダイレクトメ−ルとしても使用でき，また，クリスマスカ−ド等の各種カ−ドとしての利用も考えられる。
【図面の簡単な説明】
【０００７】
【図１】    本考案の簡易スタンドの正面図である。
【図２】    本考案の簡易スタンドの側面図である。
【図３】    本考案の簡易スタンドの斜視図である。
【符号の説明】
【０００８】    １  写真等の表示面
２  支脚部
【図１】
0003117628.tif 000003
【図２】
0003117628.tif 000004
【図３】
0003117628.tif 000005